(57)【要約】【課題】必要に応じて、釣糸に付着する水を適切に排水して竿体内部への侵入を防止できるトップガイドを提供する。【解決手段】このトップガイド１は、穂先竿Ｒの穂先側先端に脱着自在に連結された軸方向に伸縮自在な略筒状の本体部２と、本体部２の内部に配置されたセラミックスリング３，４とを備える。本体部２は、軸方向両端にそれぞれ位置する第１筒状部５及び第２筒状部６と、第１筒状部５及び第２筒状部６を連結する蛇腹部７とを有する。釣糸に付着した水の排水が必要な場合に、蛇腹部７を引き延ばして、釣糸に付着した水を切り落として排水する。【選択図】      図１
2004254654.tif 000002
【特許請求の範囲】
【請求項１】
魚釣りに用いる中通し竿の穂先側に連結されるトップガイドであって、
穂先竿の穂先側先端に脱着自在に連結された軸方向に伸縮自在な略筒状の本体部と、
前記本体部の内部に配置された硬質リングとを備え、
前記本体部は、軸方向両端にそれぞれ位置する第１筒状部及び第２筒状部と、前記第１筒状部及び第２筒状部を連結する蛇腹部とを有し、前記蛇腹部が軸方向に伸縮するトップガイド。
【請求項２】
前記第１筒状部及び第２筒状部にそれぞれ硬質ガイドが内嵌されている、請求項１に記載のトップガイド。
【請求項３】
前記蛇腹部には排水孔が形成されている、請求項１又は２に記載のトップガイド。
【発明の詳細な説明】
【０００１】
【発明の属する技術分野】
本発明は、内部に釣糸が挿通可能な釣糸通路を有する中通し竿の穂先側端部に装着されるトップガイドに関する。
【０００２】
【従来の技術】
中通し竿は、リールからの釣糸を竿体内部に挿通させるタイプの釣竿である。例えば、一般的な中通し竿の元竿には、リールを取り付け可能なリールシートが形成され、リールシートの穂先側にはリールからの釣糸を竿体内部の釣糸通路に導入するための釣糸導入口が形成されている。また、中通し竿の穂先竿の穂先側端部にはトップガイドが設けられている。この種のトップガイドは、例えば、穂先竿の穂先側端部外周面に接着剤等で取り付けられた雄ねじ部材に脱着自在に螺合した筒状の本体部と、本体部の穂先側端部内にはめ込まれたセラミックリングを有している。このような中通し竿では、リールからの釣糸は釣糸導入口から竿体内部に導入され、釣糸通路を挿通して穂先側に至り、トップガイドから外部に導出されることになる。
【０００３】
ところで、このような中通し竿で生じる問題点の１つに、釣りをおこなう際に釣糸に付着した水が、釣糸の巻き上げと共に中通し竿内に侵入し、竿体内部に溜まってしまうという問題がある。このような竿体内へ水の侵入は、釣りを行っている最中において釣竿の重量化を招くと共に、竿体内に溜まった水は釣糸の抵抗を増大させる。さらに、釣竿を痛める一因ともなる。
【０００４】
そこで、釣糸が竿体内に巻き上げられてくるトップガイドに釣糸に付着した水を排水するための機構を付与したものが提案されている（例えば、特許文献１参照）。このトップガイドは、その本体部内にコイルバネを内嵌し、コイルバネで釣糸に付着した水を切るとともに、本体部に設けた排水口から水を外部に排出している。
【０００５】
【特許文献１】
特開２００２−２６２７２３号公報
【０００６】
【発明が解決しようとする課題】
しかし、このようなコイルバネを本体部に内嵌したトップガイドは、コイルバネを収納するべく軸方向に一定の長さを有するものとなる。トップガイドは、釣糸の先端に配置される仕掛けに魚が係った際の「当たり」を最初に感知し、竿体にもその「当たり」を伝達する部分でもある。このため、その軸方向長さはできる限り短く設定し、鋭敏に「当たり」を感知させたい。また、軸方向長さが長いトップガイドはその分だけ、障害物に当たって破損し易くなる。また、釣糸への水の付着は常に問題となるものではなく、必要な場合のみ釣糸の水を切り落とせれば足りる。
【０００７】
本発明の課題は、必要に応じて、釣糸に付着する水を適切に排水して竿体内部への侵入を防止できるトップガイドを提供することにある。
【０００８】
【課題を解決するための手段】
発明１のトップガイドは、魚釣りに用いる中通し竿の穂先側に連結されるトップガイドであって、穂先竿の穂先側先端に脱着自在に連結された軸方向に伸縮自在な略筒状の本体部と、本体部の内部に配置された硬質リングとを備えている。本体部は、軸方向両端にそれぞれ位置する第１筒状部及び第２筒状部と、第１筒状部及び第２筒状部を連結する蛇腹部とを有し、この蛇腹部が軸方向に伸縮する。
【０００９】
このトップガイドは中通し竿の穂先側端部に装着される。そして、釣糸は穂先竿から本体部内へと導かれる。このトップガイドは以下の２状態で用いられる。第１の状態は、釣糸への水の付着などが顕著でない通常のコンディション用であり、蛇腹部を押し縮めて第１筒状部と第２筒状部とを近接させた状態である。この状態では、トップガイドの本体部の軸方向長さも比較的短くコンパクトである。収納も容易であり、「当たり」に対する感度も良好である。
【００１０】
第２の状態は、釣糸への水の付着が顕著なコンディション用であり、蛇腹部を引き延ばして第１筒状部と第２筒状部とを離した状態である。この状態では、釣糸が本体部内を挿通する際に蛇腹部の蛇腹の内面の凹凸に触れ、釣糸から水が切り落とされる。こうして、釣糸に付着した水が竿体内へ侵入するのを防止できる。
【００１１】
発明２のトップガイドは、発明１のトップガイドであって、第１筒状部及び第２筒状部にはそれぞれ硬質ガイドが内嵌されている。
この場合には、２つの硬質リング部材が筒状体内を挿通する釣糸を支持し、筒状体内面を保護すると共に釣糸の導出抵抗を低減する。さらに、硬質リング部材が釣糸に付着する水を切り落とすことも期待できる。
【００１２】
発明３のトップガイドは、発明１又は２のトップガイドであって、蛇腹部には排水孔が形成されている。
このトップガイドでは、第２の状態として蛇腹部が引き延ばされると排水孔が開く。そして、蛇腹の内面によって釣糸から切り落とされた水が、この排水孔から外部に排水される。
【００１３】
【発明の実施の形態】
以下、本発明の一実施形態について図面を参照しつつ説明する。
本発明の一実施形態を採用したトップガイド１は、図１に示すように、内部に釣糸が挿通可能な釣糸通路を有する中通し竿の穂先竿Ｒの穂先側端部に脱着自在に装着されている。
【００１４】
この穂先竿Ｒは先細りテーパの施された筒状体であり、内部が釣糸通路となっている。釣糸通路の内周面には軸方向に螺旋状に延びる釣糸支持突起を竿体に一体的に形成してもよい。この穂先竿Ｒの穂先側端部外周面には雄ねじ部材１０が接着等により装着されており、後述のようにこの雄ねじ部材１０に対してトップガイド１が脱着自在に装着されている。
【００１５】
穂先竿Ｒの穂先側端部に連結されるトップガイド１は、筒状の本体部２と、本体部２の筒状の内部に内嵌されているセラミックリング３，４とを有する。そして、本体部２は、穂先竿Ｒ側（以下、「竿元側」と称する）に位置する第１筒状部５と、穂先側に位置する第２筒状部６と、第１筒状部５及び第２筒状６を連結する蛇腹部７とからなる。
【００１６】
この第１筒状部５は硬質合成樹脂等からなり、竿元側端部内周面には雄ねじ部材１０に螺着する雌ねじ部分が形成されている。第１筒状部５の外径は竿元側ほど小径化するようなテーパが施され、竿元側端部において、穂先竿Ｒの外径に合致している。また、筒状の内周面の穂先側には一段拡径する段が形成されており、穂先側からセラミックスリング３が挿入されてこの段に当接して内嵌している。セラミックスリング３は接着剤などで第１筒状体５内に固定してもよい。
【００１７】
第２筒状部６も第１筒状部５と同様の硬質合成樹脂等からなる。その筒状の内周面の穂先側端部付近において一段拡径する段が形成されており、セラミックスリング４が穂先側から挿入されてこの段に当接して内嵌している。このセラミックスリング４は第２筒状部６の穂先側端面よりその一部が穂先側に突出するように配置するのが好ましい。なお、これらのセラミックスリング３，４は、そのリングの内周面は軸方向の断面視において軸方向中央付近が最も内方向に突出する湾曲面となっている。
【００１８】
なお、釣竿の種類によってその大きさは左右されるものの、例えば、第１筒状体５及び第２筒状体６は、その外径が５〜５．５ｍｍ程度である。セラミックスリング３の最小内径は１．８〜１．９ｍｍ、セラミックスリング４の最小内径は２．２〜２．３ｍｍ程度である。
蛇腹部７は、第１筒状部５と第２筒状部６とを連結するものである。蛇腹部７は、例えば、ポリエステルやポリプロピレン等のプラスチック素材からなる筒状体であって、軸方向に間隔を隔てて複数の凹凸となし、軸方向に伸縮自在である。蛇腹部７は第１筒状部５や第２筒状部６とは別途形成して、その後第１筒状部５や第２筒状部６に連結してもよいが、本体部２全体を一体的に成形加工してもよい。この蛇腹部７は、好ましくは、引き延ばした際に１０〜１２ｍｍ程度の軸方向長さとなるようにするのがよい。なお、上述のような各部の大きさを前提とすると、この蛇腹部７を軸方向に縮小させた際の内方向に突出する凸部の最小内径は２．５〜３．０ｍｍ程度に、また、この蛇腹部７を軸方向に引き延ばした際の内方向に突出する凸部の最小内径は２．７〜２．９ｍｍ程度に設定するのが、後述のように釣糸の水を切り落とすには好ましい。即ち、蛇腹部７の引き延ばし時の最小内径は、セラミックスリング３の内径より大きく、且つセラミックスリング４の内径と同程度以上でもよい。後述のように、蛇腹部７の内周面で釣糸に付着する水を切り落とすが、釣糸の弛み等を考慮した場合には上述のような内径の範囲で足りるのである。
【００１９】
また、この蛇腹部７には軸方向に長い楕円型の孔７ａが形成されている（図２参照）。後述のように排水用の孔である。この孔７ａは蛇腹部７を形成後に、孔を切抜くなどして形成できる。孔７ａは一カ所のみに形成するのでも良いが、周方向に変位して複数の孔を設けてもよい。また、例えば、図３に示すように、その形状を軸方向に長い楕円型とするのではなく、小孔を複数形成してもよい。このように周方向に変位して複数の孔を蛇腹部７に形成することで、釣竿の周方向性を問わず、排水が可能となる。
【００２０】
このようなトップガイド１は、２つの状態で使用される。
まず、釣糸への水の付着などが顕著でない通常のコンディションでは、図１に示すように、蛇腹部７を押し縮めて第１筒状部５と第２筒状部６とを近接させた状態でトップガイド１を用いる。中通し竿のリール（図示せず）から竿体内部を挿通し、穂先竿Ｒに至った釣糸は、第１筒状部５，蛇腹部７，第２筒状体６を通って、２つのセラミックスリング３，４に支持されつつ外部に至る。この状態では、トップガイド１の本体部２の軸方向長さも比較的短くコンパクトである。収納も容易であり、「当たり」に対する感度も良好である。
【００２１】
一方、釣糸への水の付着が顕著なコンディションでは、図２に示すように、蛇腹部７を引き延ばして第１筒状部５と第２筒状部６とを離した状態でトップガイド１を用いる。この状態では、釣糸が本体部２内を挿通する際に蛇腹部７の蛇腹の内面の凹凸に触れ、釣糸から水が切り落とされる。そして、切り落とされた水は蛇腹部７の孔７ａから外部に排出される。
【００２２】
なお、この実施形態では、蛇腹部７に孔７ａを形成したものを示しているが、孔７ａの形成は任意である。孔７ａを形成しない場合、蛇腹部７の内周面により釣糸から切り落とされた水は、本体部２の穂先側から排水する。この際、排水を容易にするために、セラミックスリング４に軸方向に排水溝などを形成してもよい。
【００２３】
また、セラミックスリングの数も任意に設定可能である。
【００２４】
【発明の効果】
本発明にかかるトップガイドによれば、必要な際に、釣糸に付着している水を切り取り排水でき、竿体内部に水が侵入するのを防止できる。
【図面の簡単な説明】
【図１】本発明の一実施形態を採用したトップガイド１を示した図。
【図２】図１のトップガイドの蛇腹部７を引き延ばした状態を示した図。
【図３】トップガイドの変形例を示した図。
【符号の説明】
Ｒ  穂先竿
１  トップガイド
５  第１筒状体
６  第２筒状体
７  蛇腹部
【図１】
2004254654.tif 000003
【図２】
2004254654.tif 000004
【図３】
2004254654.tif 000005